(57)【要約】【課題】商品収納数の低下を抑制しながら気密性を良好に保持することができる自動販売機のドレン水処理装置を提供すること。【解決手段】商品収容庫（２３）で発生したドレン水を商品収容庫の外部に移送する自動販売機のドレン水処理装置において、商品収容庫を画成する底部断熱パネル（２１０）の上面に形成された開口（２１２３ｂ）を通じて後端部が露出されるとともに前端部が断熱パネルの前端部分から突出するよう断熱パネルの内部に前方に向かうに連れて漸次下方に傾斜して設けられ、開口を通じて後端部に導入したドレン水を前端部に案内するトレイ部材６０と、断熱パネルの前端部分に配設され、トレイ部材６０から吐出されるドレン水を導入口７１１より導入して排出口７２１より商品収容庫２３の外部に排出するドレン受部材７０を備えたものである。【選択図】図１０
2014120128.tif 000002
【特許請求の範囲】
【請求項１】
自動販売機本体の内部における商品収容庫で発生したドレン水を該商品収容庫の外部に移送する自動販売機のドレン水処理装置において、
前記商品収容庫を画成する底部の断熱パネルの上面に形成された開口を通じて後端部が露出されるとともに前端部が該断熱パネルの前端部分から突出するよう該断熱パネルの内部に前方に向かうに連れて漸次下方に傾斜して設けられ、かつ前記開口を通じて後端部に導入したドレン水を前端部に案内するトレイ部材と、
前記断熱パネルの前端部分に配設され、かつ前記トレイ部材から吐出されるドレン水を導入口より導入して自身の内部を通過させて排出口より前記商品収容庫の外部に排出するものであって、空気の通過を規制し、かつ毛管現象により水分の通過を許容するシート状の閉塞部材にて前記ドレン水を通過させるための通路が閉塞されて成るドレン受部材と
を備えたことを特徴とする自動販売機のドレン水処理装置。
【請求項２】
前記ドレン受部材は、導入口から排出口に至る途中において、該導入口及び該排出口よりも相対的に下方となるトラップ部を有することを特徴とする請求項１に記載の自動販売機のドレン水処理装置。
【請求項３】
前記断熱パネルは、
平板状の芯材が外被材に被包されてその内部が減圧されて成る真空断熱材を有する第１パネル部と、
前記第１パネル部の上面に載置され、かつ断熱材から形成される第２パネル部と
を備え、
前記トレイ部材は、前記第２パネル部に設けられることを特徴とする請求項１又は請求項２に記載の自動販売機のドレン水処理装置。
【発明の詳細な説明】
【技術分野】
【０００１】
本発明は、自動販売機のドレン水処理装置に関し、より詳細には、自動販売機本体の内部における商品収容庫で発生したドレン水を該商品収容庫の外部に移送するドレン水処理装置に関するものである。
【背景技術】
【０００２】
従来、例えば缶入り飲料やペットボトル入り飲料等の商品を販売する自動販売機では、自動販売機本体である本体キャビネットの商品収容庫の内部（庫内）に冷凍サイクルの構成機器である蒸発器が設けられている。このような自動販売機では、商品収容庫の内部において冷凍サイクルの冷却運転により生じた結露水（主に蒸発器より発生）や蒸発器の除霜時に生じた除霜水がドレン水として発生する。そして、このようにして発生したドレン水を処理するために、自動販売機にはドレン水処理装置が設けられているのが一般的である。
【０００３】
ドレン水処理装置は、本体キャビネットの商品収容庫の下部となる機械室に、冷凍サイクルの構成機器である圧縮機、凝縮器及び膨張機構等とともに設けられており、ドレン受部材と樋部材とを備えて構成されている。
【０００４】
ドレン受部材は、商品収容庫毎に設けられており、各商品収容庫の底部に形成された排出孔に自身の入口が連通しており、該入口を通じてドレン水を導入し、自身の内部を通過させて、出口を通じてドレン水を商品収容庫の外部に排出するものである。このようなドレン受部材においては、入口から出口に至る途中において該入口及び該出口よりも相対的に下方となるトラップ部を有している。樋部材は、ドレン受部材から排出されたドレン水を受け入れ、機械室の所定個所に配設された蒸発皿まで移送させるものである。
【０００５】
かかる構成を有するドレン水処理装置は、ドレン受部材が商品収容庫で発生したドレン水を入口より導入してトラップ部で貯留し、該トラップ部で貯留されたドレン水の貯留高さレベルが出口の高さレベルを超える場合にトラップ部に貯留されたドレン水の一部を出口より排出する。樋部材は、ドレン受部材の出口より排出されたドレン水を受け入れ、蒸発皿に移送させる。蒸発皿に移送されたドレン水は、その後蒸発して処理されることになる（例えば、特許文献１参照）。
【先行技術文献】
【特許文献】
【０００６】
【特許文献１】特開２０１１−１２３７７０号公報
【発明の概要】
【発明が解決しようとする課題】
【０００７】
ところで、近年、金属製の本体キャビネットの内部に真空断熱材（ＶＩＰ：Vacuum  Insulation  Panel）から成る断熱パネルが配設されることで、断熱構造の商品収容庫を備えた自動販売機が知られている。このような真空断熱材から成る断熱パネルにより商品収容庫が構成された自動販売機は、断熱性能の向上が図られることで、商品収容庫の冷却効率や保温効率の向上を図ることができ、省エネルギー化を図る観点からも非常に優位なもので注目されている。
【０００８】
しかしながら、このような真空断熱材を用いた自動販売機では、その特性上、商品収容庫を画成する底部の断熱パネル（真空断熱材）に排出孔を形成することができず、上述したようなドレン水処理装置を適用することができない。そのため、ドレン水を商品収容庫の前後左右のいずれかより排水する必要があり、そのための排水経路を庫内に設ける必要がある。この排水経路は、重力を用いてドレン水を排出するものであるから必然的に上下方向の落差を必要とし、該排水経路を設けるためのスペースを確保するには、商品収容庫に配設される商品収納ラックを小型化する必要があり、これでは商品収納数の低下を招来して好ましくない。また、排水経路は空気の通り路になり易く、複数の部品で構成すると各部品の取付部位に隙間が生ずる虞れがあり、気密性保持の観点からも好ましいものではない。
【０００９】
本発明は、上記実情に鑑みて、商品収納数の低下を抑制しながら気密性を良好に保持することができる自動販売機のドレン水処理装置を提供することを目的とする。
【課題を解決するための手段】
【００１０】
上記目的を達成するために、本発明に係る自動販売機のドレン水処理装置は、自動販売機本体の内部における商品収容庫で発生したドレン水を該商品収容庫の外部に移送する自動販売機のドレン水処理装置において、前記商品収容庫を画成する底部の断熱パネルの上面に形成された開口を通じて後端部が露出されるとともに前端部が該断熱パネルの前端部分から突出するよう該断熱パネルの内部に前方に向かうに連れて漸次下方に傾斜して設けられ、かつ前記開口を通じて後端部に導入したドレン水を前端部に案内するトレイ部材と、前記断熱パネルの前端部分に配設され、かつ前記トレイ部材から吐出されるドレン水を導入口より導入して自身の内部を通過させて排出口より前記商品収容庫の外部に排出するものであって、空気の通過を規制し、かつ毛管現象により水分の通過を許容するシート状の閉塞部材にて前記ドレン水を通過させるための通路が閉塞されて成るドレン受部材とを備えたことを特徴とする。
【００１１】
また、本発明は、上記自動販売機のドレン水処理装置において、前記ドレン受部材は、導入口から排出口に至る途中において、該導入口及び該排出口よりも相対的に下方となるトラップ部を有することを特徴とする。
【００１２】
また、本発明は、上記自動販売機のドレン水処理装置において、前記断熱パネルは、平板状の芯材が外被材に被包されてその内部が減圧されて成る真空断熱材を有する第１パネル部と、前記第１パネル部の上面に載置され、かつ断熱材から形成される第２パネル部とを備え、前記トレイ部材は、前記第２パネル部に設けられることを特徴とする。
【発明の効果】
【００１３】
本発明によれば、トレイ部材は、商品収容庫を画成する底部の断熱パネルの上面に形成された開口を通じて後端部が露出されるとともに前端部が該断熱パネルの前端部分から突出するよう該断熱パネルの内部に前方に向かうに連れて漸次下方に傾斜して設けられており、開口を通じて後端部に導入したドレン水を前端部に案内するものであるので、断熱パネルに真空断熱材を用いる場合においても、真空断熱材では構成されていない部分で排水経路を確保することができる。そのため、商品収容庫の内部容積を小さくする必要がないので、商品収納数の低下を招来する虞れがない。しかも、断熱パネルの一部に排水経路が形成されるので、気密性を確保することができる。また、断熱パネルの前端部分に配設されたドレン受部材が、トレイ部材から吐出されるドレン水を導入口より導入して自身の内部を通過させて排出口より商品収容庫の外部に排出するものであって、空気の通過を規制し、かつ毛管現象により水分の通過を許容するシート状の閉塞部材にてドレン水を通過させるための通路が閉塞されて成るので、商品収容庫と外部との連通状態が遮断され、外気の進入を抑制することができる。従って、商品収納数の低下を抑制しながら気密性を良好に保持することができるという効果を奏する。
【図面の簡単な説明】
【００１４】
【図１】図１は、本発明の実施の形態であるドレン水処理装置が適用された自動販売機を概念的に示す概念図である。
【図２】図２は、図１に示した自動販売機の本体キャビネット及び商品収容室の構成を示す概念図である。
【図３】図３は、図１に示した本体キャビネットの内部における１つの商品収容庫の内部構造を示す断面側面図である。
【図４】図４は、図２に示した商品収容室を示す斜視図であり、本体キャビネットの図示を省略している。
【図５】図５は、図４に示した底壁に配設される断熱パネルを示す斜視図である。
【図６】図６は、図４に示した底壁に配設される断熱パネルを示す分解斜視図である。
【図７】図７は、図５及び図６に示した断熱パネルにドレン受部材が適用されることを示す説明図である。
【図８】図８は、図７に示したドレン受部材を示す斜視図である。
【図９】図９は、図８に示したドレン受部材の設置例を示す斜視図である。
【図１０】図１０は、トレイ部材及びドレン受部材の要部を拡大して示す拡大断面側面図である。
【発明を実施するための形態】
【００１５】
以下に添付図面を参照して、本発明に係る自動販売機のドレン水処理装置の好適な実施の形態について詳細に説明する。
【００１６】
図１は、本発明の実施の形態であるドレン水処理装置が適用された自動販売機を概念的に示す概念図である。ここで例示する自動販売機は、例えば缶入り飲料やペットボトル入り飲料等の商品を冷却、若しくは加熱した状態で販売するもので、本体キャビネット１０、外扉３０及び内扉４０を備えている。
【００１７】
本体キャビネット１０は、図２に示すように、複数の金属板を適宜組み合わせることによって構成された自動販売機本体であり、前面が開口した箱状に構成されている。より具体的には、上壁１１、一対の側壁１２、底壁１３、背壁１４が接合されることによって本体キャビネット１０が構成されている。一対の側壁１２は、それぞれ底壁１３よりも下方に延在しており、互いの間に台座壁１５が接合されている。
【００１８】
本体キャビネット１０には、その内部に断熱構造の商品収容室２０が設けられている。本実施の形態では、図２に示すように、上壁１１、一対の側壁１２、底壁１３、背壁１４の内壁面を覆う態様で断熱パネル２１が配設されることにより、これら断熱パネル２１によって囲まれる空間に商品収容室２０が構成されている。
【００１９】
そして、商品収容室２０に対して前方側より例えば２つの断熱仕切板２２が挿入されることで、本体キャビネット１０の内部に３つの独立した商品収容庫２３が左右に並んだ態様で設けられている。つまり、商品収容庫２３は、断熱パネル２１が、本体キャビネット（自動販売機本体）１０の内部に配設されることで画成されている。
【００２０】
図３は、図１に示した本体キャビネット１０の内部における１つの商品収容庫２３の内部構造を示す断面側面図である。この図３では、最も左側にある商品収容庫（以下、左庫ともいう）２３の内部構造について示すが、中央の商品収容庫２３及び右側の商品収容庫２３の内部構造も左庫２３と略同じような構成を有している。尚、本明細書における左側とは、自動販売機を正面側から見た場合の左方を示し、右側とは、自動販売機を正面側から見た場合の右方を示す。
【００２１】
左庫２３の内部には、搬出シュータ２４が設けられており、この搬出シュータ２４よりも下方となる領域（以下、「熱交換領域」ともいう）に温度調節ユニット２５が配設されている一方、搬出シュータ２４よりも上方となる領域（以下、「商品収納領域」ともいう）に商品収納ラック２８が配設されている。
【００２２】
搬出シュータ２４は、商品収納ラック２８から払い出された商品を内扉４０（下部内扉４０ａ）の商品搬出口４３に案内するためのプレート状部材であり、前方側に向けて漸次下方に傾斜する態様で配設されている。この搬出シュータ２４には、熱交換領域と商品収納領域との間を連通させる通気孔が多数穿設してある。
【００２３】
温度調節ユニット２５は、左庫２３の内部雰囲気を所望の温度状態に維持するためのもので、蒸発器２５ａ、電熱ヒータ２５ｂ及び庫内送風ファン２５ｃを備えて構成されている。
【００２４】
蒸発器２５ａは、圧縮機２６１、放熱器２６２及び膨張弁２６３と冷媒配管２７にて接続されて冷凍サイクルを構成するものであり、自身の流路を通過する冷媒が蒸発することで周囲空気を冷却するものである。ここで、圧縮機２６１、放熱器２６２及び膨張弁２６３は、本体キャビネット１０の内部であって商品収容室２０の下方に区画された機械室１６に配設されている。
【００２５】
電熱ヒータ２５ｂは、蒸発器２５ａの前方域に配設されており、通電状態となることにより自身の周囲空気を加熱する加熱源である。庫内送風ファン２５ｃは、左庫（商品収容庫）２３の内部空気を循環させるための送風手段である。
【００２６】
このような温度調節ユニット２５においては、例えば冷凍サイクルを運転した状態で庫内送風ファン２５ｃを駆動すると、蒸発器２５ａにおいて冷却された空気が搬出シュータ２４の通気孔を通じて上方に送給されるため、商品収納ラック２８（商品収納領域）を低温状態に維持することができる。一方、電熱ヒータ２５ｂに通電した状態で庫内送風ファン２５ｃを駆動すると、電熱ヒータ２５ｂによって加熱された空気が搬出シュータ２４の通気孔を通じて上方に送給されるため、商品収納ラック２８（商品収納領域）を高温状態に維持することができる。
【００２７】
外扉３０は、本体キャビネット１０の前面開口を覆うためのもので、本体キャビネット１０の左側縁部に開閉移動可能に配設されている。外扉３０の前面には、商品を販売する際に必要となるディスプレイウィンドウ、商品選択ボタン、紙幣挿通口、硬貨投入口、返却レバー、金額表示器、硬貨返却口が設けられているとともに（いずれも図示せず）、商品取出口３１が設けられている。
【００２８】
また、この外扉３０には商品取出部３２が設けられている。商品取出部３２は、商品収容庫２３における商品収納ラック２８から払い出されて内扉４０の商品搬出口４３を通過した商品を収容し、かつ商品取出口３１を通じて該商品を取出可能にするものである。
【００２９】
内扉４０は、商品収容庫２３（商品収容室２０）の前面を覆うための断熱扉で、外扉３０よりも内方となる位置において本体キャビネット１０の一側縁部に開閉可能に配設されている。この内扉４０は、上下に分割された構造を有しており、商品収容庫２３（商品収容室２０）の前面開口の下部側を覆う下部内扉４０ａと、商品収容庫２３（商品収容室２０）の前面開口の上部側を覆う上部内扉４０ｂとから構成されている。
【００３０】
下部内扉４０ａは、図１及び図３に示すように、各商品収容庫２３に対応した部位に商品搬出扉４４を備えた商品搬出口４３が形成されており、商品収納ラック２８から商品が搬出シュータ２４に払い出された場合に、商品搬出口４３を通じて商品を商品取出部３２に搬出することが可能である。
【００３１】
上部内扉４０ｂは、外扉３０の内方となる位置において本体キャビネット１０の一側縁部に開閉可能に配設されており、支持部材５０を介して外扉３０の裏面に取付支持されている。この上部内扉４０ｂは、外扉３０とともに開閉移動するものである。
【００３２】
図４は、図２に示した商品収容室を示す斜視図であり、本体キャビネットの図示を省略している。この図４に示すように、商品収容室２０を構成する断熱パネル２１のうち、上壁１１、一対の側壁１２及び背壁１４に配設される断熱パネル２１は、図には明示しないが、真空断熱材（ＶＩＰ）を有して構成されている。真空断熱材は、例えばガラス繊維等の熱伝導性が低い材料からなる平板状のコア（芯材）を例えばポリアミド等のフィルム（外被材）にて被包して脱気密封したものである。かかる真空断熱材においては、製造工程の特性上、外縁部にフィルムのみにより構成されるヒレ部分が形成されるため、かかるヒレ部分をコア被覆部分に折り重ねることにより用いられる。そして、このようにヒレ部分を折り重ねた真空断熱材の一部を例えば硬質ポリウレタン等の補強材で適宜被覆することで、全体として矩形平板状の断熱パネル２１が構成される。
【００３３】
図５及び図６は、それぞれ図４に示した底壁に配設される断熱パネルを示すものであり、図５は斜視図であり、図６は分解斜視図である。ここで示す底壁１３に配設される断熱パネル、すなわち商品収容庫２３（商品収容室２０）の底部を構成する断熱パネル（以下、底部断熱パネルともいう）２１０は、第１パネル部２１１と第２パネル部２１２とを備えて構成されている。
【００３４】
第１パネル部２１１は、平板矩形状の形態を成しており、真空断熱材２１１ａを有している。真空断熱材２１１ａは、例えばガラス繊維等の熱伝導性が低い材料からなる平板状のコアを例えばポリアミド等のフィルムにて被包して脱気密封したものである。かかる真空断熱材２１１ａは、外縁部にフィルムのみにより構成されるヒレ部分をコア被覆部分に折り重ねられている。そして、このような真空断熱材２１１ａの一部を例えば硬質ポリウレタン等の補強材２１１ｂで適宜被覆することで第１パネル部２１１が構成されている。
【００３５】
第２パネル部２１２は、第１パネル部２１１の上面に載置されるもので、全体として第１パネル部２１１と略同等の外形寸法を有している。この第２パネル部２１２は、下部パネル材２１２１と、中部パネル材２１２２と、上部パネル材２１２３とを備えて構成されている。
【００３６】
下部パネル材２１２１は、平板矩形状の形態を成しており、例えば硬質ポリウレタン等の断熱材で構成されている。この下部パネル材２１２１は、第２パネル部２１２の最下部を構成しており、その前端部分には各商品収容庫２３に対応して切欠部２１２１ａが形成されている。
【００３７】
中部パネル材２１２２は、平板矩形状の形態を成しており、例えば硬質ポリウレタン等の断熱材で構成されている。この中部パネル材２１２２は、下部パネル材２１２１の上面に載置されており、前端部分における下部パネル材２１２１の切欠部２１２１ａに対応する位置に同形状の切欠部２１２２ａが形成されている。また、中部パネル材２１２２には、それぞれの切欠部２１２２ａから後方に向けて進入溝２１２２ｂが形成されており、各進入溝２１２２ｂの後端部分は幅広に形成されている。
【００３８】
そして、中部パネル材２１２２には、進入溝２１２２ｂに進入する態様で複数（図示の例では３つ）のトレイ部材６０が配設されている。トレイ部材６０は、板金を加工して構成されるもので、前後方向が長手方向となる長尺状のものである。このトレイ部材６０は、進入溝２１２２ｂの左右幅より小さい左右幅を有する縮幅部６１と、この縮幅部６１に連続する態様で該縮幅部６１の後部に設けられた拡幅部６２とを備えている。つまり、トレイ部材６０は、前端部が縮幅部６１であり後端部が拡幅部６２となっており、拡幅部６２の左右幅は進入溝２１２２ｂの後端部分の左右幅よりも大きいものである。
【００３９】
従って、トレイ部材６０は、中部パネル材２１２２の進入溝２１２２ｂに前端部である縮幅部６１が進入し、後端部である拡幅部６２は中部パネル材２１２２の上面に載置されるように配設されており、これにより、トレイ部材６０は、前方に向かうに連れて漸次下方に傾斜して設けられている。また、トレイ部材６０の前端部分、すなわち縮幅部６１の前端部分は、中部パネル部材の切欠部２１２２ａに突出している。
【００４０】
上部パネル材２１２３は、左右に分割されており、それぞれが平板矩形状の形態を成している。これら上部パネル材２１２３は、例えば硬質ポリウレタン等の断熱材で構成されており、左側の上部パネル材２１２３が左庫２３に対応し、右側の上部パネル材２１２３が中央の商品収容庫２３及び右側の商品収容庫２３に対応している。これら上部パネル材２１２３は、中部パネル材２１２２の上面に載置されており、それぞれの前端部分における中部パネル材２１２２の切欠部２１２２ａに対応する位置に同形状の切欠部２１２３ａが形成されている。また、これら上部パネル材２１２３には、異形状の開口２１２３ｂが形成されている。より詳細に説明すると、左側の上部パネル材２１２３には、１つの開口２１２３ｂが形成されており、トレイ部材６０の拡幅部６２よりも左右幅が僅かに小さい第１開口部２１２３ｂ１と、この第１開口部２１２３ｂ１より前方に向けて延在する幅狭の第２開口部２１２３ｂ２とが連続して形成されている。右側の上部パネル材２１２３には、２つの開口２１２３ｂが形成されており、左方側が中央の商品収容庫２３に対応しており、右方側が右側の商品収容庫２３に対応している。それぞれの開口２１２３ｂは、左右幅が異なるが、トレイ部材６０の拡幅部６２よりも左右幅が僅かに小さい第１開口部２１２３ｂ１と、この第１開口部２１２３ｂ１より前方に向けて延在する幅狭の第２開口部２１２３ｂ２とが連続して形成されている。
【００４１】
このような構成の第２パネル部２１２においては、これら下部パネル材２１２１、中部パネル材２１２２及び上部パネル材２１２３が重なることにより、それぞれの切欠部２１２１ａ，２１２２ａ，２１２３ａが重なり合うことで３つの凹部２１０ａが前端部分に形成されている。また、第２パネル部２１２の内部において、開口２１２３ｂを通じて拡幅部６２が露出されるとともに縮幅部６１の前端部が該第２パネル部２１２の凹部２１０ａより突出するようトレイ部材６０が設けられている。
【００４２】
底部断熱パネル２１０においては、図７に示すように、第２パネル部２１２の各凹部２１０ａにドレン受部材７０が嵌合されて配設されている。ドレン受部材７０は、図８に示すように、上方が開放された受部本体７０ａを備えている。受部本体７０ａは、例えば樹脂材等から形成されたものであり、自身の内部にドレン水の通路を形成しており、導入部７１、排出部７２及びトラップ部７３を備えて構成されている。
【００４３】
導入部７１は、後端部分に形成されており、後面に導入口７１１を有する部位である。この導入口７１１は、トレイ部材６０の前端部（縮幅部６２の前端部分）が相対的に進入することを許容している。排出部７２は、前端部分に形成されており、前面に排出口７２１を有する部位である。また、排出部７２においては、排出口７２１の下端縁部より下方に向けて延在する係止片７２２が形成されている。
【００４４】
トラップ部７３は、導入部７１から排出部７２に至る領域に設けられており、自身の底部分７３ａ（図１０参照）が導入部７１の底部分７１ａ及び排出部７２の底部分７２ａよりも下方となるものである。このトラップ部７３には、隔壁７３１及び閉塞部材７３２（図１０参照）が設けられている。
【００４５】
隔壁７３１は、トラップ部７３における導入部７１側と排出部７２側とを区画するもので、矩形状の連通口７３１ａが形成されている。
【００４６】
閉塞部材７３２は、例えばポリエチレン等から成る不織布を加工して構成されたシート状のものである。より詳細には、閉塞部材７３２は、空気の通過を規制する一方、毛管現象により水の通過を許容するシート体を加工して構成されたものである。このような閉塞部材７３２は、隔壁７３１の連通口７３１ａを排出部７２側（前方側）から閉塞するように配設されている。
【００４７】
このような構成を有するドレン受部材７０は、図９及び図１０に示すように、底壁１３の前端部分に取り付けられた樋部材８０の貫通孔８１を排出部７２の一部が貫通して係止片７２２が樋部材８０の前方側に位置するように設けられている。ここで、樋部材８０は、自動販売機の左右方向に沿って延在する長尺状のものであり、ドレン受部材７０の排出口７２１より排出されたドレン水を、機械室１６の所定の蒸発部位に配設された図示せぬ蒸発皿に移送するためのものである。
【００４８】
以上のような構成を有する自動販売機においては、いずれかの商品収容庫２３の内部で生じたドレン水を次のようにして排出して処理することができる。ここでは、左庫２３の内部で生じたドレン水の処理を代表として説明し、中央の商品収容庫２３及び右側の商品収容庫２３の内部で生じたドレン水の処理は、左庫２３と同じであるからそれらの説明を割愛する。
【００４９】
左庫２３の加熱運転、すなわち電熱ヒータ２５ｂを通電状態にして商品収納ラック２８に収納された商品を加熱する運転が行われている場合や、左庫２３の冷却運転が開始されたときのように内部にドレン水が発生していない場合や少量のドレン水しか発生していない場合には、閉塞部材７３２が連通口７３１ａを閉塞することでドレン水が通過可能な通路を閉塞しており、しかも閉塞部材７３２は空気の通過を規制するものであるので、左庫２３と外部との連通状態が遮断される。そのため、左庫２３に外気が進入することを抑制することができる。
【００５０】
一方、左庫２３の冷却運転が十分に行われることにより、あるいは蒸発器２５ａに付着した霜を除去するための除霜運転が行われることにより、該左庫２３の内部にドレン水が発生すると、かかるドレン水は、底部断熱パネル２１０における第２パネル部２１２（上部パネル材２１２３）の開口２１２３ｂを通じて拡幅部６２に進入することでトレイ部材６０に導入される。このトレイ部材６０に導入されたドレン水は、該トレイ部材６０が前方に向かうに連れて漸次下方に傾斜する態様で設けられていることで、該トレイ部材６０の前端部に向けて拡幅部６２から縮幅部６１に向けて自身の自重により流れ、縮幅部６１の前端部より導入口７１１を通じてドレン受部材７０の内部に進入する。導入口７１１よりドレン受部材７０に進入したドレン水は、トラップ部７３に進入してそこで貯留される。このとき、トラップ部７３で貯留されるドレン水の一部は、連通口７３１ａを通じて閉塞部材７３２を毛管現象により通過する。
【００５１】
そして、トラップ部７３で貯留されるドレン水の貯留高さが連通口７３１ａの上端縁部の高さレベルに達すると、ドレン受部材７０の導入口７１１側と排出口７２１側とはドレン水により閉塞される。その後、トラップ部７３で貯留されるドレン水の貯留高さのレベルが排出部７２の底部分７２ａの高さレベルを超えると、一部のドレン水が排出部７２に進入して排出口７２１より排出される。つまり、ドレン受部材７０は、左庫２３の内部で生じたドレン水を導入口７１１より導入して自身の内部を通過させ、排出口７２１を通じて該左庫２３の外部に排出する。
【００５２】
排出口７２１より排出されたドレン水は、樋部材８０に受け入れられ、該樋部材８０を通じて蒸発皿まで移送され、その後蒸発されて処理される。
【００５３】
このように本実施の形態においては、トレイ部材６０及びドレン受部材７０が、本体キャビネット１０（自動販売機本体）の内部における商品収容庫２３で発生したドレン水を該商品収容庫２３の外部に移送するドレン水処理装置を構成している。
【００５４】
以上説明したように、本発明の実施の形態であるドレン水処理装置によれば、トレイ部材６０が、底部断熱パネル２１０の上面に形成された開口２１２３ｂを通じて拡幅部６２が露出されるとともに縮幅部６１の前端部が該底部断熱パネル２１０の前端部分から突出するよう該断熱パネル２１の内部に前方に向かうに連れて漸次下方に傾斜して設けられており、開口２１２３ｂを通じて拡幅部６２に導入したドレン水を前端部に案内するので、該底部断熱パネル２１０に真空断熱材２１１ａを用いる場合においても、真空断熱材２１１ａでは構成されていない第２パネル部２１２で排水経路を確保することができる。そのため、商品収容庫２３の内部容積を小さくする必要がないので、商品収納ラック２８を小型化する必要がなく、商品収納数の低下を招来する虞れがない。しかも、底部断熱パネル２１０の一部である第２パネル部２１２に排水経路が形成されるので、気密性を確保することができる。また、底部断熱パネル２１０の前端部分に配設されたドレン受部材７０が、トレイ部材６０から吐出されるドレン水を導入口７１１より導入して自身の内部を通過させて排出口７２１より商品収容庫２３の外部に排出するものであって、空気の通過を規制し、かつ毛管現象により水分の通過を許容するシート状の閉塞部材７３２にてドレン水を通過させるための通路が閉塞されて成るので、商品収容庫２３と外部との連通状態が遮断され、外気の進入を抑制することができる。従って、商品収納数の低下を抑制しながら気密性を良好に保持することができる。
【００５５】
以上、本発明の好適な実施の形態について説明したが、本発明はこれに限定されるものではなく、種々の変更を行うことができる。
【００５６】
上述した実施の形態においては、いずれの断熱パネル２１も真空断熱材を有して構成されているが、本発明においては、断熱パネルは、真空断熱材を備えたものでなくても構わない。
【符号の説明】
【００５７】
１０  本体キャビネット
１１  上壁
１２  側壁
１３  底壁
１４  背壁
１５  台座壁
２０  商品収容室
２１  断熱パネル
２１０  底部断熱パネル
２１１  第１パネル部
２１１ａ  真空断熱材
２１２  第２パネル部
２１２１  下部パネル材
２１２２  中部パネル材
２１２２ｂ  進入溝
２１２３  上部パネル材
２１２３ｂ  開口
２２  断熱仕切板
２３  商品収容庫
３０  外扉
４０  内扉
６０  トレイ部材
６１  縮幅部
６２  拡幅部
７０  ドレン受部材
７１  導入部
７１１  導入口
７２  排出部
７２１  排出口
７３  トラップ部
７３２  閉塞部材
８０  樋部材
【図１】
2014120128.tif 000003
【図２】
2014120128.tif 000004
【図３】
2014120128.tif 000005
【図４】
2014120128.tif 000006
【図５】
2014120128.tif 000007
【図６】
2014120128.tif 000008
【図７】
2014120128.tif 000009
【図８】
2014120128.tif 000010
【図９】
2014120128.tif 000011
【図１０】
2014120128.tif 000012